(57)【要約】商人による消費財の販売場所の地理的識別及び販売の追跡のシステムに関する。システムは銀行支払いネットワーク（４）販売端末（Ｅ１）及び銀行支払いネットワークの第１のエレメント（Ｂ１）を含む。第１のエレメント（Ｂ１）は（ａ）販売端末（Ｅ１）に送信される認証媒体（Ｄ１）を発行する工程であって、認証媒体（Ｄ１）は識別番号を含み、認証媒体のフォーマットは銀行支払いネットワーク（４）により受容されるものと互換可能であり、識別番号は消費財とリンクする、工程と（ｂ）銀行支払いネットワーク（４）を介して販売端末（Ｅ１）から、消費財の販売時点にて販売端末（Ｅ１）により抽出される又は捕獲される識別番号を受信する工程と及び（ｃ）受信した識別番号と対応する、販売場所の地理的位置を識別するために及び販売のオペレーションを認証するために販売に関する情報を銀行支払いネットワーク（４）から受信する工程を行うよう構成される。
2015531520.tif 000002
【特許請求の範囲】
【請求項１】
商人による消費財の販売場所の地理的識別及び販売の追跡のシステムあって、
システムは、銀行支払いネットワーク、販売端末、及び銀行支払いネットワークの第１のエレメントを含み、
第１のエレメントは、
販売端末に送信される認証媒体を発行する工程であって、認証媒体は識別番号を含み、認証媒体のフォーマットは銀行支払いネットワークにより受容されるものと互換可能であり、識別番号は消費財とリンクする、工程と、
銀行支払いネットワークを介して販売端末から、消費財の販売時点にて販売端末により抽出される若しくは捕獲される識別番号を受信する工程と、及び、
受信した識別番号と対応する消費財の、販売場所の地理的位置を識別するために及び販売のオペレーションを認証するために、販売に関連する情報を銀行支払いネットワークから受信する工程と
を行うように構成されている、
システム。
【請求項２】
システムは更に第２のエレメントを含み、
第１のエレメントは、
受信された識別番号、若しくは、受信された識別番号に対する、この識別番号に対応する消費財へのリファレンス、及び、
販売に関連する情報の少なくとも一部の情報の少なくとも一つを第２のエレメントに通信するように構成されている、
請求項１に記載のシステム。
【請求項３】
前記識別番号は、第１のエレメントにて、承認のリクエストを介して受信され、前記識別番号にリンクする所与の量を第１のバンクアカウントから引き落とす、
請求項１に記載のシステム。
【請求項４】
第１のエレメントが更に、前記承認のリクエストに追随し、所与の量の引き落としを拒絶し、前記識別番号がリンクされる消費財の販売のオペレーションの、地理的識別及び認証のために用いられる前記識別番号に対する承認のためのこのリクエストの事実を、登録するように構成されている、
請求項３に記載のシステム。
【請求項５】
対象の消費財の販売を実施する商人が、銀行支払いネットワークの第２のパートナにより第２のバンクアカウントを有し、
第１のエレメントが更に、前記承認のリクエストに追随し、対象の商品の販売のオペレーションの、地理的識別及び認証が受容された場合、第２のバンクアカウントを容認して第１のバンクアカウントから前記所与の量の引き落としを承認する、
請求項３に記載のシステム。
【請求項６】
所定の最大限の量以下の量に対してのみ、引き落としの承認が、第１のエレメントにより許諾される、
請求項３に記載のシステム。
【請求項７】
識別番号に対する第１のアカウントを引き落とす承認は一度だけ与えられ、その後、バンキング取引に関するこの識別番号に対する第１のエレメントで、この識別番号は無力化される、
請求項３に記載のシステム。
【請求項８】
認証媒体は、支払いアプリケーションを管理する電子ユニットを含み、この電子ユニットは、電子支払い端末を介しての単体のバンキング取引を許すように構成されており、その後、前記支払いアプリケーションは電子ユニット内で無力化されるように構成され、これにより認証媒体は、支払いを実施するに当たっては銀行支払いネットワークによって最早受容されない、
請求項３に記載のシステム。
【請求項９】
第１のエレメントは更に、識別番号を受信した後に識別番号とリンクする消費財に対する保証を活性化するように構成されている、
請求項１に記載のシステム。
【請求項１０】
販売場所の地理的位置を識別して販売のオペレーションを認証した後、第１のエレメントは更に、銀行支払いネットワークに直接的に若しくは間接的に接続する販売端末若しくは別のエレメントへ識別及び認証の確認を送信するように構成されている、
請求項１に記載のシステム。
【請求項１１】
販売端末は、販売のオペレーションの地理的識別及び認証の確認の受信を印刷するように構成されている印刷ユニットに接続する、
請求項１０に記載のシステム。
【請求項１２】
販売に関連する情報は、販売の日付、販売の時間、販売に対して引き落とされた量、販売が行われた国、販売が行われた都市、販売が行われた地理的座標、商人の識別子、支払いコード、及び、販売端末の識別子のうちの、少なくとも一つを含む、
請求項１に記載のシステム。
【請求項１３】
第１のエレメントは更に、商人の識別子を受信して商人が対象の消費財の販売を実施する権限があるかどうか検証ように構成されている、
請求項１に記載のシステム。
【請求項１４】
認証媒体は、識別番号が記録されているマグネットストライプを有する、及び／又は、識別番号が記録されている電子ユニットを有する、バンキングタイプのカードである、
請求項１に記載のシステム。
【請求項１５】
第２のエレメントと接続する情報は、識別番号から知ることはできず、又は、発端の認証のリクエストに関連する銀行支払いネットワーク内を循環する他のデータから知ることはできず、検証のエレメントのアイデンティティは第１のエレメントのみから知り得る、
請求項２に記載のシステム。
【請求項１６】
商人により販売される消費財の、販売場所の地理的識別及び販売の追跡を実行する、銀行支払いネットワークと販売端末と及び銀行支払いネットワークの第１のエレメントとを含むシステムのための、方法であって、
方法は、第１のエレメントにより行う複数のステップであって、
販売端末に送信される認証媒体を発行するステップであって、認証媒体は識別番号を含み、認証媒体のフォーマットは銀行支払いネットワークにより受容されるものと互換可能であり、識別番号は消費財とリンクする、ステップと、
銀行支払いネットワークを介して販売端末から、消費財の販売時点にて販売端末により抽出される若しくは捕獲される識別番号を受信するステップと、及び、
受信した識別番号と対応する消費財の、販売場所の地理的位置を識別するために及び販売のオペレーションを認証するために、販売に関連する情報を銀行支払いネットワークから受信するステップと
を含む、方法。
【請求項１７】
商人により販売される消費財の、販売場所の地理的識別及び販売の追跡を実行する、銀行支払いネットワークと販売端末と銀行支払いネットワークの第１のエレメントと及び第２のエレメントを含むシステムのための、方法であって、
方法は、
販売端末に送信される認証媒体を第１のエレメントにより発行するステップであって、認証媒体は識別番号を含み、認証媒体のフォーマットは銀行支払いネットワークにより受容されるものと互換可能である、ステップと、
識別番号と消費財との間のリンクを第１若しくは第２のエレメントにより形成するステップと、
消費財の販売時点にて販売端末により識別番号を抽出し若しくは捕獲するステップと、
この識別番号を第１若しくは第２のエレメントに転送するステップと、
販売に関連する情報を銀行支払いネットワークの第１若しくは第２のエレメントにより受信するステップと、及び、
受信した識別番号と対応する消費財の、販売場所の地理的位置を識別し及び販売のオペレーションを認証するステップと
を含む、方法。
【発明の詳細な説明】
【技術分野】
【０００１】
本発明は、消費財、例えば、時計、革製品、及び、特に、販売業者特に認定販売店により販売される高級品についての、販売場所の地理的識別及び販売の追跡のシステムに関する。特に、本発明は、商人による消費財の販売のオペレーションを、流通サービスアドミニストレータにより、認証し地理的に識別するように構成されたシステムに関する。本発明に係るシステムは同様に、最終顧客への販売の管理のシステムを規定し、該システムにより、生産者、商標所有者若しくは販売業者は、これら販売の経路を追い更に商人において残余のストックを判別できる。本発明は更に、上記システムにおいて消費財の、販売場所の活性化の地理的識別を実行し、販売の追跡を行う方法に関する。本発明は更に、上記システムで用いられる認証媒体に関する。
【背景技術】
【０００２】
所与の製品は、多数生産され所定の国内で更には国際レベルで多数の商人を介して流通する。広大な国際的データベースに入力するためには、流通ネットワーク内の全てのロジステックオペレーションが記録されトレースされることが必要である。このことにより、製造者及び販売業者は、全ての種類の関連情報を入手でき、何よりも海賊行為における販売及び試行の可能性を確認できる。現下通常の場合では、唯一無二のオペレーションは、製品を販売し、このために提供される文書上に販売の日付及び自分の署名並びに／又はスタンプによるマークを記す商人によって為される、保証である。商人は、番号付き製品の販売日付、及び可能であれば、それを持ち帰った顧客の住所についての、書面の表示を保持できる。商人は、自分の店についての情報販売追跡システムにこれらのデータを入力できる。現在では、所定の簡易な例では、顧客に与えられるキャッシュレジスタレシートが、保証の目的の役割を果たす。更に、特別な地理的識別は無く、販売の追跡は非常に不正確であり若しくは存在すらしない。
【０００３】
保証の活性化は販売者を介して局所的に行われるのであり、その販売者は、対象の製品の販売業者、又はこれら製品の製造者、例えば、販売及び保証の活性化について、所定の製品のための商標を保持する、又はこの商標の使用者である会社に、必ずしも通知しない、という事実から、共通の手順に関する問題点が生じる。販売者は、この販売業者若しくはこの製造者に周期的に送付されるレポートを作成して、保証サービスの管理において、更には、市場に効率的且つ最適に供給するべく製品のストック及び流通の管理において、かれらを助けることができる。それらレポートは、郵便により、電子メールにより、若しくは、この販売業者や製造者に属するインターネットサイトを介して、送付できる。しかしながら、このことは、効率的且つ完全な管理を容易に可能にしない。種々の消費財のための保証サービスの自動的且つコンピュータ化管理は、今日実際の問題を提示する。特に販売業者若しくはその従業員は、自店のコンピュータに常にアクセスするとは限らない。
【０００４】
消費財、及びスペア部品に関する別途のルートという、「グレーマーケット」の存在は、同様に、流通ネットワークに多数の穴が在ることであり、このネットワークでのプレーヤの全てに対して多額の損失金銭を示すものである。
【発明の概要】
【発明が解決しようとする課題】
【０００５】
本発明は、実効的であり消費財を販売する商人が容易に利用できる、消費財の販売場所の識別及び消費財の販売の追跡の、地理的システムを提示することにより、前述の問題を解決することを目的とする。特に、本発明は、国際的レベルで稼働し、利用できる商人の数を制限しない、システムを提示することを目的とする。
【課題を解決するための手段】
【０００６】
目的を達成するために、本発明の第１の形態は、主題として、商人による消費財の販売場所の地理的識別及び販売の追跡のシステムを有する。システムは、銀行支払いネットワーク、販売端末、及び銀行支払いネットワークの第１のエレメントを含み、
第１のエレメントは、
販売端末に送信される認証媒体を発行する工程であって、認証媒体は識別番号を含み、認証媒体のフォーマットは銀行支払いネットワークにより受容されるものと互換可能であり、識別番号は消費財とリンクする、工程と、
銀行支払いネットワークを介して販売端末から、消費財の販売時点にて販売端末により抽出される若しくは捕獲される識別番号を受信する工程と、及び、
受信した識別番号と対応する消費財の、販売場所の地理的位置を識別するために及び販売のオペレーションを認証するために、販売に関連する情報を銀行支払いネットワークから受信する工程と
を行うように構成されている。
【０００７】
よって、本発明によって、販売場所の地理的位置を識別し及び販売追跡のシステムを提供する、効率的で相対的に簡易なシステムが取得される。第１のエレメントは実際には単体の物理要素でもよく、若しくは、少なくとも二つの物理要素で構成されてもよい。使用に際して、認証文書が全て識別されるので、及びバンキングネットワークから受信されるデータによって、交換される情報により販売の精緻な場所を非常に正確に位置付けすることが可能になる。これらの情報は全て、販売の追跡を保証し、バンキングネットワークを介してこれらの情報が流通サーキット内の様々なプレーヤに転送されることを可能にする。
【０００８】
本発明の第２の形態は、主題として、商人により販売される消費財の、販売場所の地理的識別及び販売の追跡を実行する、銀行支払いネットワークと販売端末と及び銀行支払いネットワークの第１のエレメントとを含むシステムのための、方法を有する。
方法は、第１のエレメントにより行う複数のステップであって、
販売端末に送信される認証媒体を発行するステップであって、認証媒体は識別番号を含み、認証媒体のフォーマットは銀行支払いネットワークにより受容されるものと互換可能であり、識別番号は消費財とリンクする、ステップと、
銀行支払いネットワークを介して販売端末から、消費財の販売時点にて販売端末により抽出される若しくは捕獲される識別番号を受信するステップと、及び、
受信した識別番号と対応する消費財の、販売場所の地理的位置を識別するために及び販売のオペレーションを認証するために、販売に関連する情報を銀行支払いネットワークから受信するステップと
を含む。
【０００９】
本発明の第３の形態は、主題として、商人により販売される消費財の、販売場所の地理的識別及び販売の追跡を実行する、銀行支払いネットワークと販売端末と銀行支払いネットワークの第１のエレメントと及び第２のエレメントを含むシステムのための、方法を有する。
方法は、
販売端末に送信される認証媒体を第１のエレメントにより発行するステップであって、認証媒体は識別番号を含み、認証媒体のフォーマットは銀行支払いネットワークにより受容されるものと互換可能である、ステップと、
識別番号と消費財との間のリンクを第１若しくは第２のエレメントにより形成するステップと、
消費財の販売時点にて販売端末により識別番号を抽出し若しくは捕獲するステップと、
この識別番号を第１若しくは第２のエレメントに転送するステップと、
販売に関連する情報を銀行支払いネットワークの第１若しくは第２のエレメントにより受信するステップと、及び、
受信した識別番号と対応する消費財の、販売場所の地理的位置を識別し及び販売のオペレーションを認証するステップと
を含む。
【００１０】
本発明の他の形態は、従属請求項に示される。
【図面の簡単な説明】
【００１１】
本発明は、以下の記載を読み取ることから十分に理解されるのであり、概略的に示す添付の図面を参照して非限定の例示により示される。
【図１】図１は、本発明の例示に係る、販売場所の地理的識別及び販売の追跡のシステムを図式的に示す。
【発明を実施するための形態】
【００１２】
図１を参照して、本発明に係るシステム及び方法の、限定的でない実施形態を、以下詳細に説明する。
【００１３】
より詳細には、本発明に係る第１の例示の実施形態に係る、販売場所の識別を実行する、及び消費財の販売の追跡を実行する方法は、以下のステップを含む。
Ａ）銀行支払いネットワークの第１のパートナによる、ギャランティ若しくは保証文書とも称される認証媒体を発行するステップであって、この認証媒体は、識別番号、及び銀行支払いネットワークにより受容されるものと互換可能であるフォーマットを含む、ステップ；
Ｂ）生成された識別番号と消費財との間のリンクを作成するステップ；
Ｃ）認証媒体を、関連する消費財の販売を実行する商品に送信するステップ；
Ｄ）消費財の販売時に、銀行支払いネットワークを介して第１のパートナの情報処理システムに識別番号を送信するステップであって、商人がアクセスするこの銀行支払いネットワークのエントリの時点からこの送信が発生する、ステップ；
Ｅ）第１のパートナにより販売日付及び識別番号を獲得するステップ；
Ｆ）第１のパートナの情報処理システムにより、この識別番号の受信の事実を登録するステップ；
Ｇ）関連する消費財の販売を地理的に識別し、販売のオペレーションを認証し、関連する消費財のための保証を検証し得るステップ；
Ｈ）第１のパートナにより識別番号を受信した後、可能であれば販売に関連する他の情報と共に、この識別番号、若しくは対象の消費財へのリファレンスを、対象の消費財のための流通サービスのアドミニストレータに通信するステップ；
Ｉ）商人へ確認を発送するステップ；及び、
Ｊ）商人により確認をプリントするステップ。
【００１４】
より一般的には、収集されたデータは、ダブルフラックスにより発行者及び受信者に、若しくは流通ネットワーク内の他の任意のプレーヤに送信される。よって、ジオロケーションオペレーションにダブルフラックスレスポンスが追加される。このことにより、販売の詳細全て（日付、時間、量、国、都市など）とともに販売の場所を正確に位置づけることが可能になる。このようにして販売オペレーションは、トレースされ地理的に位置づけされる。この販売に関連する幾つかの情報は、データベースを拡張するために同様に収集され送信される。結果として、本発明に係るシステムは、特に贅沢若しくは高技術製品のための、独占販売ネットワークの場合の、販売チャネルのモニタリングの適用例を見出す。
【００１５】
必然的ではないにせよ、一般的には、認証媒体内の識別番号は、製品の製造者若しくは販売業者により使用される製品リファレンスとは異なる。従って、例えば、第１のパートナ若しくはアドミニストレータにより、又は別の要素により形成され得るルックアップテーブルが提供され、このことにより、識別番号と製品リファレンスとの間のリンクが作成され得る。このルックアップテーブルは、流通サービスのアドミニストレータにより位置づけされ得、第１のパートナ、即ち認証文書の発行者の情報処理システムに直接導入され得、アドミニストレータ若しくはそのクライアントは、受信した対応する識別番号に対する発行者からの製品リファレンスを直接受信する。よって、処理の最後には、流通ネットワークのアドミニストレータは、販売の追跡のデータを受信して、消費財の発送の時点にて、最初から作成していた自分の内部データベースとそれらを関連付け得る。よって、消費財と識別番号との間の最終的な接続が形成される。全ての販売オペレーションがこのように記録される（位置付け及び識別）。
【００１６】
対象の消費財を販売する商人にてインストールされる国内若しくは国際ネットワークは、銀行支払いネットワークにより理解されるのであり、このことにより、商人の顧客は、これら消費財の購入時にて銀行支払いを実行できる。例示としてのみであるが、銀行支払いネットワークは、アメリカンエクスプレス（登録商標）、マスターカード（登録商標）若しくはビザ（登録商標）などの会社により管理される国際ネットワークである。このネットワークにより、消費財の販売のジオロケーション及び追跡に関する全ての要素を導くことができる。
【００１７】
商人は全て所与の流通ネットワークに参加し、非常に正確に識別される。銀行支払いネットワークに商人が接続することにより、商人を地理的に位置付けることが可能になる。或る場合には商人は識別されない。商人が公式の流通ネットワークの外部にいたり、商人のエリアが単純なジオロケーションを実行するにはあまりに大きかったりするからである。この特定の場合には、続いて補充的アプローチを加えて位置付けを洗練させることが、本発明に従って提案される。このアプローチは、販売と繋がる取引の前の宣誓書カードを伴うのであり、このことにより、ネットワーク内に商人を正確に配置することが可能になる。
【００１８】
消費財の発送に先立ち、流通ネットワークのアドミニストレータにより宣誓書カードが商人に送信される。ダブルフラックスによる情報交換によって、正確な位置付けを見出すこと及びデータベースを拡張することが可能になる。より正確には、販売者が公式の流通ネットワーク内にいないとき、先ず販売者は、一度用いられた、電子支払い端末（ＥＰＴ）で最初に使用しなければならない宣誓書カードを、受信する。２つのパーティ間（ネットワークのアドミニストレータと販売場所との間）の情報交換により、販売場所の位置付けをより正確に見出すこと及び認証された販売場所を検証することが可能になる。このオペレーションは、大きいエリア内に、若しくは高層の販売場所内に位置する異なるＥＰＴを位置付けするのに、同様に用いられる。よって、このことにより、位置付けを改良し洗練させることが可能になる。
【００１９】
一般的に、地理的識別は銀行支払いネットワークの利用を介して作成される。電子支払い端末における（従ってエントリポイントである）個々の取引により、デバイス（ＥＰＴ）及び／又は商人に属するデータは、ネットワークに送信されてバンクプロセッサによりチェックされる。これらのデータは、例えば、取引が為された国及び／又は都市のコード、取引コード、量、時間などである。当然のことながら、商人は自分のＥＰＴを自分のローカルバンクにより常時コントロールし、その後、バンクプロセッサは識別及びチェックの全てのオペレーションを実行する。商人はこれらのデータを用いて自分のデータベースを拡張する。これらデータの全ては、銀行支払いネットワーク上で利用可能であり、販売場所を地理的に位置付けして販売の追跡を実施することを可能にする。
【００２０】
ショップ、任意の販売場所、ブティック、マートやフェアにおけるスタンド、及び、消費財の販売を実行できる任意のエンティティが、商人により概略理解される。商人は自然人でも会社でもよい。会社の場合、顧客から金銭を集金する権限のある従業員は、商人と見なされる。ビザ（登録商標）やマスターカード（登録商標）タイプの支払いネットワークを記述するのに用いられる用語に従って、商人の銀行は受信者と称される。銀行支払いネットワークを介して商人の銀行アカウント上で販売量を受信するものであるからである。商人は、販売が関連するパーティに対する販売の追跡のデータを見返りとして受信できる。よって、追跡は確認の形式で維持される。
【００２１】
表面にプリント可能であり、及び／又は、マグネットストライプを付すことができ、及び／又は、通信手段とリンクするチップなどの電子ユニットに組み込まれる、任意の媒体は、認証媒体により理解される。これらの通信手段は、抵抗でも非接触でもよく、例えば、アンテナでよい。この媒体は、一片の紙、プラスチックカード、製品パッケージ、若しくは製品自身でよい。プラスチックカードは、例えば、共通バンキングフォーマットの電子カードである。特に、地理的識別アプリケーション及び販売オペレーションの認証アプリケーションを管理し識別番号が記録されている電子ユニット、並びに、（例えば、ＲＦ若しくは赤外線通信手段を備えた）非接触電子支払い端末と通信するためにこの電子ユニットと接続するアンテナ若しくはエミッタを組み込む媒体の場合、認証媒体は、ペーパードキュメント、電子ラベル、若しくは、任意のフォームの電子カード若しくはプレート、又は、トランスポンダータイプのどの他のオブジェクトでもよい。この媒体は、携帯電話でもよく、又は、流通サービスのアドミニストレータから若しくは関連する製品のための商標を使用する会社から商人に提供されるこれら製品の識別番号を受信するための、通信手段を備える商人の別の電子デバイスでもよい。この携帯電話、若しくは他の電子デバイスは、ＥＰＴとの通信の手段を備えるのが好ましい。特定の実施形態では、認証媒体は、消費財若しくはそのパッケージングに配置されたシングルマグネットストライプから成る。別の特定の実施形態では、認証媒体は、電子ユニット、及び、その通信デバイス特にアンテナから成り、その認証媒体は製品自身若しくはそのパッケージング内に組み込まれ、よって製品自身若しくはそのパッケージングが媒体として機能する。
【００２２】
商人の販売場所にてインストールされる銀行支払いネットワークの電子支払い端末が、銀行支払いネットワーク内のエントリポイントにより理解されるのが好ましい。別の変形例では、少なくとも、販売された商品の識別番号がビザ（登録商標）やマスターカード（登録商標）のカード番号と同じように入力されるがこの商品を識別し認証するためである、保証付きインタフェースを介して、支払いネットワークにアクセスするインターネットサイトから、支払いネットワーク内のエントリポイントは成る。銀行支払いネットワークにより受容されるどのエントリポイントも利用され得ることが、留意される。
【００２３】
特に、バンクアカウントを管理し、銀行支払いネットワークのメンバ若しくはパートナである銀行及び他の金融機関は、銀行支払いネットワークのパートナにより理解される。対象の消費財の識別番号を発行する銀行支払いネットワークのパートナであって、これら識別番号がこのネットワークと互換可能なフォーマットを有する、パートナは、発行者とも称される。
【００２４】
銀行支払いネットワークの場合、発行者は一般に、銀行取引をするために、ネットワークのフォーマットのカード番号を含む銀行カードを発行する。カードは、カードを所有し処分するので持参人とも称される、自然人若しくは法人（発行者のクライアント）の名前で一般に発行される。支払いの時、買い手は一般に自分に関する銀行カードを携行する。本発明のフレームワークの範囲内では、発行者のクライアントは、流通サービスのアドミニストレータである。流通サービスのこのアドミニストレータは、従来の支払いネットワークという意味では銀行カードの持参人ではない。実際、或る場合では、このアドミニストレータは、発行された認証媒体を決して有さないということ、若しくは、より一般的には識別番号を伴う発行された認証媒体を決して有さないということが、生じ得る。関連する商品の販売まで、認証媒体の発行に続く時間の経過にて、持参人は変化する。最初、認証媒体は、流通サービスのアドミニストレータに、若しくは関連する製品のための生産ユニットに直接、発行可能であり、又は、例えば、製品のためのパッケージングを作成する若しくは流通を実施する会社に、発行可能である。続いて認証媒体は、製品の販売までこの認証媒体のカストディアンに成る商人の下に製品ユニットがあるまで、製品ユニットを追随する。販売後、認証媒体は一般に、本発明に従って識別及び認証がこの商人を介して実施された後、製品を獲得した商人の顧客に戻る。
【００２５】
認証媒体が、銀行支払いネットワークの予想される発行者にて発行される対象の製品のための、生産若しくは流通会社により特に委ねられるエンティティ、会社、組織は、流通サービスのアドミニストレータにより非常に広汎に理解される。このアドミニストレータは、発行された認証媒体をアカウントにリンクするこの発行者と共にこのアカウントを有する。結果として、個々の認証媒体は、それにリンクされるアカウントを有する。本発明の異なる変形例によると、これら認証媒体に関連して発行者が受信する若しくは所有するデータを、発行者が提供するのは、流通サービスのアドミニストレータに対してである。これらのデータは、特に所定のフォームで提示するためにこれらデータを処理した後に、流通サービスのアドミニストレータにより認証された他のエンティティに直接提供されてもよく、若しくは、後者によりこれら他のエンティティに提供されてもよい。他のエンティティは、特に、製品の商標を保持する若しくは使用する会社若しくはその子会社、生産者、又は、これら商標のための流通会社などである。流通サービスのアドミニストレータは、それ自身製品の商標を保持し若しくは管理する会社であってもよいことに、特に、時計を製造しそれらを流通者に、及び／又は最終顧客への販売を実施する商人に、販売する時計製造企業であってもよいことに、留意すべきである。この用語は、従って非常に広汎であり、少しも限定されるものではない。それは発行者のクライアントのことを示す。本発明の変形例によると、流通サービスのアドミニストレータは見返りとして、日付、時間、量、国、都市などの、消費財の販売に対する追跡の要素と共に、販売の正確な位置を受信する。このように、流通サービスのアドミニストレータは自分の内部データベースを拡張して自らの最初のファイルと比較することができる。よって、トレーサビリティは完了し、流通サービスのアドミニストレータは全体の流通のループを完全にコントロールする。
【００２６】
本発明の実施形態に係る具体的ケースを、特に、全く非限定の例示のより与えられる図１によって、以下説明する。図は、消費財の販売の、地理的識別及びオペレーションの認証のための本発明に係る銀行支払いネットワークを概略示す。
【００２７】
この図１には、消費財若しくは製品Ｐ１及びＰ２の販売の、地理的識別及び追跡のためのシステム２が示されている。消費財は、商人Ｃ１及びＣ２により販売されるが、商人の数は限定されるものでは無い。この識別システムは、銀行支払いネットワーク４で構成され、製品Ｐ１、Ｐ２の各々は認証媒体Ｄ１、Ｄ２に夫々リンクされ、認証媒体Ｄ１、Ｄ２には識別番号（ＸＸＸ）が書き込まれ若しくは記録され、認証媒体Ｄ１、Ｄ２のフォーマットは前記銀行支払いネットワークにより受容されるものと互換可能である。認証媒体は、電子カードのこの例に存在する。カードＤ１は電子ユニットを有し、カードＤ２はマグネットストライプのみを有する。
【００２８】
製品のどの一つかの販売の、地理的識別及びオペレーションの認証は、対象の消費財を販売する商人Ｃ１、Ｃ２の夫々がアクセスする、銀行支払いネットワークのエントリＥ１若しくはＥ２のポイントから、実行され得る。図１に示される実施形態では、アクセスＥ１のポイントは、ＥＰＴから成り、アクセスＤ２のポイントは、コンピュータにより表示されるウェブサイトの保証付きインタフェースで構成され、このウェブサイトは、ネットワーク４に属し、銀行支払いネットワークにより実行される取引に関連するデータの処理及び通信のためのシステム６に接続する。変形例では、保証付きインタフェースは、ウェブネットワーク若しくはインターネットを介して通過すること無く、システム６に直接接続し得る。ＥＰＴ（Ｅ１）は、電子カードＤ１の電子ユニットに記録されるバンキングフォーマット内の識別番号を読み取るように構成されている。図示されない変形例では、アクセスポイントＥ１は、カードＤ１のマグネットストライプを読み取るように構成されている。アクセスポイントＥ２に対して、この目的のために設けられた保証付きインタフェースのページ上に識別番号（ＸＸＸ）を入力することが必要である。従って、この番号はカードＤ２上に書き込まれる。他のタイプのエントリポイントが想定可能であり、特に携帯電話によりコールラインを介してアクセス可能である、特にネットワーク４のサーバや電話サービスであって、販売を行う商人のバンクアカウントを容認する認証媒体の発行者にて流通サービスのアドミニストレータＧ１のバンクアカウントを引き落とす承認のリクエストのために必要なデータが転送される、ネットワーク４のサーバや電話サービスである。
【００２９】
販売オペレーションの、地理的識別及び認証の時点にて、銀行支払いネットワーク４は、エントリＥ１、Ｅ２のポイントから、製品Ｐ１若しくはＰ２の少なくとも識別番号ＸＸＸを、このネットワーク４の第１のパートナ、銀行Ｂ１の情報処理システムＳ１に送信するように構成されており、情報処理システムＳ１は、対象の消費財のための流通サービスのアドミニストレータＧ１のこの識別番号を発行したものである。この第１のパートナの情報処理システムＳ１は、識別番号がアドミニストレータＧ１に送信された事実を記録する。第１のパートナの情報処理システムＳ１は、銀行支払いネットワーク４から販売に関連するデータ（日付、時間、量、国、及び／又は都市など）も受信する。これらのデータは、識別番号と同時に受信され得る。
【００３０】
図１の例では、アドミニストレータＧ１は、商標Ｍ１、Ｍ２、Ｍ３及びＭ４を所有する種々の会社により権限を与えられた会社である。アドミニストレータ１は、以下に説明する、異なる実施形態及び種々の変形例に係る、販売オペレーションの地理的識別及び認証の処理に固有の、銀行Ｂ１によるアカウントを有する。カードの読み取りの後、アドミニストレータＧ１は、発行者からこのアカウントに関連して動作する認証媒体に関する識別番号を少なくとも受信し、又は、アドミニストレータは、これら識別番号に対応する消費財に対するリファレンスを受信する。以下に利便性を示す特定の変形例では、アドミニストレータのアカウントはバンクアカウントである。
【００３１】
よって、第１のパートナＢ１の情報処理システムは、流通サービスのアドミニストレータＧ１へ、受信した識別番号、又は、受信した識別番号のためのこの識別番号に対応する消費財に対するリファレンス（例えば、モデルリファレンス、シリアル番号若しくは部品番号）を通信する。事実一般的には、販売オペレーションの地理的識別及び認証に適切である認証媒体の識別番号は、製品の製造者若しくは流通者により用いられる製品リファレンスとは異なる。従って、ネットワーク４を介する識別のための識別番号と製品リファレンスとの間でのリンクを可能にするルックアップテーブルが提供される。このルックアップテーブルは、流通サービスのアドミニストレータにて配置されてもよく、第１のパートナ、即ち認証媒体の発行者により情報処理システム内に直接に導入されてもよく、このことにより、アドミニストレータ若しくはそのクライアントは、受信した対応する識別番号に対する製品リファレンスを発行者から直接受信する。
【００３２】
図１は、更に別のパートナＢ２を示し、別のパートナＢ２は、それ自身の情報処理システムＳ２を有し、別のアドミニストレータのための発行者として、及び／又は、別の商人のために買い手として、動作し得る。
【００３３】
この例によると、銀行支払いネットワークによる識別番号の転送が、このネットワークの第１のパートナにおける承認のリクエストを介して実施され、所与の量が、対象の識別番号にリンクされる（流通サービスのアドミニストレータＧ１に属する）第１のバンクアカウントに引き落とされる。この所与の量は、記号量であってもよいが、いずれにせよこの量は対象の消費財に対する支払いではない。この例によると、この量は（図１に示されない）バンキングプロセッサにより規定される。認証媒体は対象の消費財に対する支払いには用いられ得ないことに留意すべきである。
【００３４】
主たる実施形態の第１の変形例によると、銀行支払いネットワークの第１のパートナの情報処理システムＳ１は、承認のリクエストに追随し、所与の量の引き落としを拒絶し、識別番号がリンクされる消費財のための販売オペレーションの認証として情報処理システムが考慮する、受信した識別番号に対する承認のためのこのリクエストの事実を、記録する。
【００３５】
主たる実施形態の第２の変形例によると、対象の消費財Ｐ１、Ｐ２の夫々の販売を実施する商人Ｃ１若しくはＣ２は、銀行支払いネットワーク４の、第２のパートナＢ３、Ｂ４の夫々による第２のバンクアカウントを有する。承認のリクエストに追随し、対象の商品の販売のオペレーションの、地理的識別及び認証が受容された場合、第１のパートナの情報処理システムＳ１は、第２のバンクアカウントを容認して第１のバンクアカウントから前記所与の量の引き落としを承認する。
【００３６】
この第２の変形例の特別の場合、所定の最大限の量以下の量に対してのみ、引き落としの承認が、第１のパートナの情報処理システムＳ１により許諾される。
【００３７】
別の特別な場合には、所定の量に対してのみ、引き落としの承認が、第１のパートナの情報処理システムＳ１により許諾される。
【００３８】
識別番号に対する第１のアカウントを引き落とす承認は一度だけ与えられるのが好ましく、その後、バンキング取引に関するこの識別番号に対する第１のパートナの情報処理システムで、この識別番号は無力化される。
【００３９】
別の形態によると、認証媒体は、支払いアプリケーションを管理する電子ユニットを含み、この電子ユニットは、ＥＰＴを介しての一つのバンキング取引を許すように構成されており、その後、前記支払いアプリケーションは電子ユニット内で無力化し、認証媒体は、支払いを行うために銀行支払いネットワークによっては最早受容されない。支払いアプリケーションの無力化は様々な方法で実行され得る。ＥＰＴを介して第１のパートナから受信される命令によるもの、若しくは、認証媒体によりバンキング取引が受容された時点におけるＥＰＴ自身によるもの、更には、ＥＰＴとの標準的通信に基づいて、受容されたバンキング取引を検出する電子ユニット自身によるもの、である。
【００４０】
一般的には、対象の商品の販売のオペレーションの、地理的識別及び認証が受容された場合、変形例では、第１のパートナＢ１は、エントリポイントに送信される特定のメッセージを介してこれらのアクションを確認することが想定される。
【００４１】
よって、第１の若しくは第２の上述の変形例の、改善された実施例によると、承認のリクエストへのその応答と共に、対象の商品の販売のオペレーションの、地理的識別及び認証が受容された場合、第１のパートナＢ１は、ネットワークへのエントリポイントへ送信された特定のメッセージを介してオペレーションを確認する。
【００４２】
一つの可能な態様によると、エントリポイントは、販売のオペレーションの地理的識別及び認証の確認の受信を印刷するように構成されている印刷ユニットに接続する。続いてダブルフラックスによる応答が活性化する。
【００４３】
一般的な変形例によると、商人の識別子は、この商人による識別番号の転送と共に若しくは転送無しで、第１のパートナＢ１の情報処理システムＳ１に同様に転送される。結果として、第１のパートナＢ１の情報処理システムＳ１は、商人が対象の消費財の販売を実施する権限があるかどうか検証できる。
【００４４】
変形例では、対象の消費財の販売のオペレーションの、地理的識別及び認証は、商人が承認された場合のみ、活性化する。
【００４５】
別の変形例では、商人が対象の消費財の販売を実施する権限がない場合、第１のパートナＢ１の情報処理システムＳ１は、識別番号の受信を記録し、この事実を流通サービスのアドミニストレータＧ１に通信する。
【００４６】
別の変形例では、商人が対象の消費財の販売を実施する権限がない場合、第１のパートナＢ１の情報処理システムＳ１は、このことをエントリポイントに示す。
【００４７】
一般的な変形例によると、第１のパートナＢ１の情報処理システムＳ１は、識別番号とリンクする消費財の販売のオペレーションの、地理的識別及び／又は認証が、禁止されているかどうか検証する。特に、対象の消費財の販売のオペレーションの、地理的識別及び／又は認証が、禁止されている場合、第１のパートナの情報処理システムＳ１はこのことをエントリポイントに示す。
【００４８】
特定の変形例によると、対象の消費財の販売のオペレーションの、地理的識別及び認証が、禁止されている場合、第１のパートナの情報処理システムＳ１は、この消費財の対する識別番号の受信を流通サービスのアドミニストレータＧ１に通信する。
【００４９】
認証媒体は、特に、機械時計などのメンテナンスを要求する製品のための、販売のオペレーションの地理的識別及び認証に対する有効期限が設けられてもよい。電子ドキュメントの場合、有効期限は、認証媒体内に記録され得、電子支払い端末は、この期限が、バンキング取引を開始する前に、若しくは一般的には、販売のオペレーションの地理的識別及び認証を開始する前に、切れていないことを検証する。この有効期限が切れたならばバンキング取引を、若しくは一般的には、販売のオペレーションの地理的識別及び認証を実施することに同意しない発行者の、情報処理システム内にも、この有効期限が記録され得ることに留意すべきである。この場合、商人は、例えば、チェックのために若しくはメンテナンスサービスのために製品を戻し、そして新しい認証媒体を受信し、若しくは有効期限が電子認証媒体内に再プログラムされる。
【００５０】
別の一般的な変形例によると、流通サービスのアドミニストレータＧ１に接続する情報は、認証媒体にリンクする識別番号から知ることはできず、又は、対応する商品の販売のオペレーションの、地理的識別及び認証に関連する銀行支払いネットワーク内を循環する他のデータから知ることはできず、このアドミニストレータのアイデンティティはこのシステム内の第１のパートナＢ１のみから知り得る。
【００５１】
一つの例によると、認証媒体はバンキングタイプのカードＤ１若しくはＤ２から成る。銀行支払いネットワークへのエントリポイントは、ここでは、商人においてインストールされカードのマグネットストライプ若しくは電子ユニットを読み出すように調整されているＥＰＴである。
【００５２】
本発明の方法で用いられる認証媒体、特にカードＤ１、Ｄ２は、銀行支払いネットワーク４により受容されるものと互換可能であるフォーマットを有する識別番号ＸＸＸを含む。本発明によると、この認証媒体は、銀行支払いネットワークのパートナ（発行者）により発行される。
【００５３】
認証媒体に関しては、識別番号はこの認証媒体のマグネットストライプ上に若しくは電子ユニット内に記録可能であり、この電子ストライプ若しくはこの電子ユニットは、銀行支払いネットワークの電子支払い端末が少なくともこの識別番号を読み取れるように構成されている。
【００５４】
前述の構成の複数の変形例は、本発明の範囲を超えること無く想定も可能である。例えば、前述のシステムは、対象の消費財のための保証を活性化するのに用いられ得る。この活性化は、ＥＰＴから識別番号を受信した後に及びルックアップテーブルを調べた後に、第１のパートナＢ１により若しくはアドミニストレータＧ１により、活性化され得る。続いて確認はエントリポイントに送信され得る。
【００５５】
更に、第１のパートナＢ１は、アドミニストレータＧ１を含んで単体の物理要素を形成することができる。
【符号の説明】
【００５６】
２・・・地理的識別及び追跡のためのシステム、４・・・銀行支払いネットワーク、６・・・銀行支払いネットワークにより実行される取引に関連するデータの処理及び通信のためのシステム、Ｃ１、Ｃ２・・・商人、Ｄ１、Ｄ２・・・認証媒体、Ｇ１・・・アドミニストレータ、Ｐ１、Ｐ２・・・製品。
【図１】
2015531520.tif 000003
【国際調査報告】
2015531520.tif 000004
2015531520.tif 000005